(57)【要約】【課題】  より趣向性に富んだスイッチ装置を提供すること。【解決手段】  プッシュ式のスイッチ素子１１０と、スイッチ素子の可動部１１１と連結された操作体１２０と、スイッチ素子及び操作体を収納するとともに操作体の先端部を露出する筐体２０と、筐体に設けられた装飾体１３０と、操作体と装飾体との間に設けられた駆動伝達機構１４０とを備え、操作体の先端部を操作することにより、スイッチ素子が切換わるとともに装飾体が駆動する構成のスイッチ装置である。操作体は、先端部を構成する先端部材１２２と、先端部材を支持する弾性部材１２３とを備え、先端部材にこれを引き抜こうとする方向の外部負荷がかかると、弾性部材が弾性変形をし、更に外部負荷が解除されると、弾性部材の弾性力にて先端部材が所定の位置に復帰する構成とした。【選択図】図３
2005147914.tif 000002
【特許請求の範囲】
【請求項１】
プッシュ式のスイッチ素子と、前記スイッチ素子の可動部と連結された操作体と、前記スイッチ素子及び前記操作体を収納するとともに前記操作体の先端部を露出する筐体と、前記筐体に設けられた装飾体と、前記操作体と前記装飾体との間に設けられた駆動伝達機構とを備え、
前記操作体の先端部を操作することにより、前記スイッチ素子が切換わるとともに前記装飾体が駆動することを特徴とするスイッチ装置。
【請求項２】
前記操作体にはラック部を設け、
前記駆動伝達機構は前記ラック部と噛合する歯車を備え、
前記操作体及び前記スイッチ素子の可動部が直線的に移動するとともに、前記装飾体が回転することを特徴とする請求項１記載のスイッチ装置。
【請求項３】
前記駆動伝達機構は弾性部材を備え、
前記装飾体に外部負荷がかかると、前記弾性部材が弾性変形をしつつ前記装飾体が移動し、更に前記外部負荷が解除されると、前記弾性部材の弾性力にて前記装飾体が所定の位置に復帰することを特徴とする請求項１又は２記載のスイッチ装置。
【請求項４】
前記操作体は、前記先端部を構成する先端部材と、前記先端部材を支持する弾性部材とを備え、
前記先端部材にこれを引き抜こうとする方向の外部負荷がかかると、前記弾性部材が弾性変形をし、更に前記外部負荷が解除されると、前記弾性部材の弾性力にて前記先端部材が所定の位置に復帰することを特徴とする請求項１乃至３のいずれか記載のスイッチ装置。
【請求項５】
プッシュ式のスイッチ素子と、前記スイッチ素子の可動部と連結された操作体と、前記スイッチ素子及び前記操作体を収納するとともに前記操作体の先端部を露出する筐体とを備え、
前記操作体の先端部を操作することにより、前記スイッチ素子が切換わるスイッチ装置であって、
前記操作体は、前記先端部を構成する先端部材と、前記先端部材を支持する弾性部材とを備え、
前記先端部材にこれを引き抜こうとする方向の外部負荷がかかると、前記弾性部材が弾性変形をし、前記外部負荷が解除されると、前記弾性部材の弾性力にて前記先端部材が所定の位置に復帰することを特徴とするスイッチ装置。
【請求項６】
請求項１乃至５のいずれか記載のスイッチ装置を目覚し信号停止装置として用いたことを特徴とする目覚し時計。
【発明の詳細な説明】
【技術分野】
【０００１】
本発明は、プッシュ式のスイッチ素子を用いてなるスイッチ装置に関する。
【背景技術】
【０００２】
目覚し時計は、予め設定された予定時刻になると所定の目覚し信号を発生する。目覚し信号の停止は、目覚し時計の要所に設けられた目覚し信号停止装置（通称鳴止めスイッチ）にて行う構成となっている。一般に、目覚し信号停止装置は、直線的に可動する可動部を備えたプッシュ式のスイッチ素子を用いて構成されている。特許文献１には、この種の目覚し時計が開示されており、特許文献２には、スイッチ素子の可動部にボタンを設けるための構成が開示されている。また、スイッチ素子の具体的な構成は、特許文献３乃至６等にもそれぞれ開示されている。これらの特許文献に開示されたスイッチ素子は、可動部に次の操作力を加えると、その接点が最初の状態に復帰する構成となっている。また可動部は、コイルばね等の付勢手段により一方に付勢されるとともに、カム等を利用したロック手段にて所定の停止位置を交互に移動する。特にこのようなスイッチ素子は、プッシュアンドプッシュスイッチと称する。
【特許文献１】特開平７−２４８３８６号公報
【特許文献２】特開平９−２９２４７５号公報
【特許文献３】特開平９−２９３４７号公報
【特許文献４】特開平１１−６７００６号公報
【特許文献５】特開２０００−３１４７８０号公報
【特許文献６】特開２０００−３１５４３８号公報
【発明の開示】
【発明が解決しようとする課題】
【０００３】
さて近年、時計のデザインは益々多様化されており、前述した目覚し時計の目覚し信号停止装置についても、より便利に且つ楽しく使用するための工夫が求められている。本発明は、かかる事情に鑑みてなされたものであり、その目的は、より趣向性に富んだスイッチ装置を提供することである。
【課題を解決するための手段】
【０００４】
本願第１請求項に記載した発明は、プッシュ式のスイッチ素子と、前記スイッチ素子の可動部と連結された操作体と、前記スイッチ素子及び前記操作体を収納するとともに前記操作体の先端部を露出する筐体と、前記筐体に設けられた装飾体と、前記操作体と前記装飾体との間に設けられた駆動伝達機構とを備え、前記操作体の先端部を操作することにより、前記スイッチ素子が切換わるとともに前記装飾体が駆動する構成のスイッチ装置である。すなわち、本発明のスイッチ装置は、スイッチ素子の操作に応じて筐体に設けられた装飾体が駆動するという趣向性に富んだものである。装飾体は、操作体の先端部を操作する動力が操作体と装飾体との間に設けられた駆動伝達機構を介して伝達されることにより、駆動する。
【０００５】
本願第２請求項に記載した発明は、請求項１において、前記操作体にはラック部を設け、前記駆動伝達機構は前記ラック部と噛合する歯車を備え、前記操作体及び前記スイッチ素子の可動部が直線的に移動するとともに、前記装飾体が回転する構成のスイッチ装置である。すなわち、操作体に設けたラック部に駆動伝達機構の歯車を噛合することによれば、操作体の直線運動を回転運動に変換して装飾体を回転させることが可能となる。
【０００６】
本願第３請求項に記載した発明は、請求項１又は２において、前記駆動伝達機構は弾性部材を備え、前記装飾体に外部負荷がかかると、前記弾性部材が弾性変形をしつつ前記装飾体が移動し、更に前記外部負荷が解除されると、前記弾性部材の弾性力にて前記装飾体が所定の位置に復帰する構成のスイッチ装置である。すなわち、使用者が装飾体を動かす等して装飾体に強制的に負荷がかかると、これがスイッチ装置の破損を招く原因となる場合があるが、本発明によれば、弾性部材が弾性変形することにより、そのような破損を未然に防止することが可能となる。
【０００７】
本願第４請求項に記載した発明は、請求項１乃至３のいずれかにおいて、前記操作体は、前記先端部を構成する先端部材と、前記先端部材を支持する弾性部材とを備え、前記先端部材にこれを引き抜こうとする方向の外部負荷がかかると、前記弾性部材が弾性変形をし、更に前記外部負荷が解除されると、前記弾性部材の弾性力にて前記先端部材が所定の位置に復帰する構成のスイッチ装置である。すなわち、使用者が操作体の先端部を摘んで引っ張る等すると、操作体にはこれを筐体から引き抜こうとする方向に負荷がかかる。操作体の先端部にこうした負荷がかかると、スイッチ素子の可動部が無理に引っ張られる等して、これがスイッチ装置の破損を招く原因となる場合があるが、本発明によれば、弾性部材が弾性変形することにより、そのような破損を未然に防止することが可能となる。
【０００８】
本願第５請求項に記載した発明は、プッシュ式のスイッチ素子と、前記スイッチ素子の可動部と連結された操作体と、前記スイッチ素子及び前記操作体を収納するとともに前記操作体の先端部を露出する筐体とを備え、前記操作体の先端部を操作することにより、前記スイッチ素子が切換わるスイッチ装置であって、前記操作体は、前記先端部を構成する先端部材と、前記先端部材を支持する弾性部材とを備え、前記先端部材にこれを引き抜こうとする方向の外部負荷がかかると、前記弾性部材が弾性変形をし、前記外部負荷が解除されると、前記弾性部材の弾性力にて前記先端部材が所定の位置に復帰する構成のスイッチ装置である。すなわち、使用者が操作体の先端部を摘んで引っ張る等すると、操作体にはこれを筐体から引き抜こうとする方向に負荷がかかる。操作体の先端部にこうした負荷がかかると、スイッチ素子の可動部が無理に引っ張られる等して、これがスイッチ装置の破損を招く原因となる場合があるが、本発明によれば、弾性部材が弾性変形することにより、そのような破損を未然に防止することが可能となる。
【０００９】
本願第６請求項に記載した発明は、請求項１乃至５のいずれか記載のスイッチ装置を目覚し信号停止装置として用いた構成の目覚し時計である。すなわち、本発明のスイッチ装置は、特に目覚し時計の目覚し信号停止装置として好適に用いることが可能である。
【発明の効果】
【００１０】
本発明によれば、より趣向性に富んだスイッチ装置を得ることができる。このスイッチ装置は、目覚し時計の目覚し信号停止装置として好適に利用することができるものである。
【発明を実施するための最良の形態】
【００１１】
以下に、本発明の実施例を図面に基づいて詳細に説明する。図１に示す目覚し時計１は、人形を模した筐体２０の要所に時刻表示部３０を備えたものであり、使用者が予め任意に設定した予定時刻になると、不図示のスピーカから目覚し信号たる報知音を発生する構成となっている。目覚し信号の停止は、目覚し時計１の要所に設けられたスイッチ装置１００たる目覚し信号停止装置にて行う構成となっている。
【００１２】
このスイッチ装置１００は、筐体２０の上部に露出した操作体１２０の先端部を下方に押すことにより、図２に示すスイッチ素子１１０の可動部１１１を操作するものである。また、このように操作体１２０の先端部を操作すると、筐体２０の要所に設けられた装飾体１３０が駆動する構成となっている。
【００１３】
図１（ａ）は目覚し信号を発生可能とした第１状態を示し、図１（ｂ）は操作体１２０を下方に押したときの第２状態を示し、図１（ｃ）は目覚し信号が停止された第３状態を示している。すなわち、第１状態において操作体１２０を下方に押すと（矢印Ａ方向）、人形の腕部を模した装飾体１３０が持ち上がり（矢印Ｂ方向）、第２状態となる。そして、第２状態から操作体１２０を押す力を解除すると、操作体１２０が若干押し戻される（矢印Ｃ方向）とともに装飾体１３０がある程度下がったところで停止し（矢印Ｄ方向）、第３状態となる。また、第３状態において操作体１２０を下方に押すと第２状態となり、第２状態から操作体１２０を押す力を解除すると第１状態となる。
【００１４】
本例のスイッチ素子１１０は、いわゆるプッシュアンドプッシュスイッチであり、その可動部１１１は、上方に付勢され且つこれに操作力を加える毎に所定の停止位置を交互に移動する構成となっている。つまり、操作体１２０及びスイッチ素子１１０の可動部１１１は、使用者が操作体１２０の先端部を下方に押すことにより落ち込み、更に操作体１２０を押す力を解除すると所定の停止位置まで押し戻される。図２（ａ）は第１状態、図２（ｂ）は第２状態、図２（ｃ）は第３状態における可動部１１１の位置を示している。可動部１１１は、第１状態及び第３状態においてそれぞれ停止する。図２中の矢印Ｅは、図１中矢印Ａ方向に対応する可動部１１１の移動方向を示し、図２中の矢印Ｆは、図１中矢印Ｃ方向に対応する可動部１１１の移動方向を示している。
【００１５】
以下、本例のスイッチ装置１００の具体的構造を図３乃至図８に基づいて説明する。このスイッチ装置１００は、スイッチ素子１１０と、スイッチ素子１１０の可動部１１１と連結された操作体１２０と、スイッチ素子１１０及び操作体１２０を収納するとともに操作体１２０の先端部を露出する前記筐体２０と、筐体２０に設けられた装飾体１３０と、操作体１２０と装飾体１３０との間に設けられた駆動伝達機構１４０とを備えたものである。スイッチ素子１１０の接点は、操作体１２０の先端部を操作することにより切換わり、装飾体１３０は、これに連動して駆動する。スイッチ素子１１０の端子は、当該目覚し時計１の制御部と接続されており、制御部は、スイッチ素子１１０からの出力と、当該目覚し時計１の計時手段からの出力とに応じて目覚し信号の発生を制御する。
【００１６】
操作体１２０は、スイッチ素子１１０を囲むとともにその可動部１１１を固定した操作体本体部材１２１と、筐体２０から露呈される先端部を構成する先端部材１２２と、先端部材１２２を操作体本体部材１２１に支持する弾性部材たる引っ張りコイルばね１２３とを備えている。操作体本体部材１２１は、筐体２０の内部において上下方向に移動可能に保持されており、その要所には、上下方向に亘るラック部１２１ａが設けられている。スイッチ素子１１０は、筐体２０の内部にねじ止めして固定されている。また、先端部材１２２は、筐体２０の上部に設けた開口部２１から突出されている。
【００１７】
駆動伝達機構１４０は、ラック部１２１ａと噛合する歯車１４１と、歯車１４１と噛合する歯部１４２ａを設けた第１リンク部材１４２と、第１リンク部材１４２に装着された弾性部材たる捩じりコイルばね１４３とを備えている。歯車１４１は、筐体２０に回転可能に支持されている。また装飾体１３０は、腕部を模した装飾体本体部材１３１と、装飾体本体部材１３１に固定した軸体１３２と、軸体１３２に圧入して固定した第２リンク部材１３３とを備えている。
【００１８】
装飾体１３０の軸体１３２は、筐体２０の内部に挿入され且つ筐体２０の要所に設けられた軸受部２２に回転可能に保持されている。駆動伝達機構１４０の第１リンク部材１４２は、軸体１３２に遊嵌されており、軸体１３２に対して回転可能となっている。第１リンク部材１４２は、捩じりコイルばね１４３を保持する保持部１４２ｂ及び捩じりコイルばね１４３の両端部をそれぞれ支持する一対の突部１４２ｃを有する部材である。捩じりコイルばね１４３は、軸体１３２を挿通しつつ第１リンク部材１４２に対してある程度圧縮した状態で装着されている。軸体１３２に固定した第２リンク部材１３３には、捩じりコイルばね１４３の一方の端部と当接するボス１３３ａが設けられている。装飾体１３０は、軸体１３２を中心に回転可能とされ、更に装飾体１３０の回転位置は、捩じりコイルばね１４３がボス１３３ａを支えることにより位置決めされる。
【００１９】
操作体１２０が上下方向に移動すると、ラック部１２１ａと噛合した歯車１４１が回転し、更に歯車１４１と噛合した第１リンク部材１４２及び第１リンク部材１４２に装着された捩じりコイルばね１４３が軸体１３２を中心に回転する。捩じりコイルばね１４３が回転すると、これに当接した第２リンク部材１３３のボス１３３ａが移動し、装飾体１３０が回転する。つまり、操作体１２０及びスイッチ素子１１０の可動部１１１が上下方向に直線的に移動するとともに、装飾体１３０がその軸体１３２を中心に回転する。
【００２０】
尚本例では、操作体１２０が下方に押し下げられた場合は、捩じりコイルばね１４３が第２リンク部材１３３のボス１３３ａを押し上げることにより、装飾体１３０が持ち上がる。一方、操作体１２０が可動部１１１の付勢力にて押し上げられた場合は、捩じりコイルばね１４３によるボス１３３ａの支持位置が下がることにより、装飾体１３０が落下する。このように、操作体１２０及び装飾体１３０は、一方が下がると他方が上がり、一方が上がると他方が下がるように構成するとよい。このような構成によると、それらの重量配分がバランスよく設定され、より安定した装飾体１３０の駆動を得ることが可能となる。
【００２１】
また、装飾体本体部材１３１と筐体２０との対向部位には、互いに係合する係止片１３１ａ及び係止溝２３がそれぞれ設けられており、装飾体１３０の回転可能範囲は、これらの係止片１３１ａ及び係止溝２３にて規制されている。かかる回転可能範囲は、捩じりコイルばね１４３の回転に伴う装飾体１３０の回転範囲よりも大きく設定されている。図７（ａ）は第１状態、図７（ｂ）は第２状態、図７（ｃ）は第３状態における係止片１３１ａ及び係止溝２３の位置関係を示している。
【００２２】
本例の装飾体１３０は、係止片１３１ａ及び係止溝２３にて規制された回転可能範囲であれば、外部負荷を加えることにより回転させることも可能である。使用者が装飾体１３０を摘む等してこれを持ち上げる方向に回転させる場合は、第２リンク部材１３３のボス１３３ａが捩じりコイルばね１４３から浮き上がる。また同様に、装飾体１３０を下げる方向に回転させる場合は、捩じりコイルばね１４３がボス１３３ａに押されて圧縮する。つまり、装飾体１３０に所定の方向の外部負荷がかかると、捩じりコイルばね１４３が弾性変形をしつつ装飾体１３０が移動し、更に外部負荷が解除されると、捩じりコイルばね１４３の弾性力にて装飾体１３０が所定の位置に復帰する。使用者が装飾体１３０を動かす等して装飾体１３０に強制的に負荷がかかると、これがスイッチ装置１００の破損を招く原因となる場合があるが、本例によれば、捩じりコイルばね１４３が弾性変形することにより、そのような破損を未然に防止することができる。
【００２３】
また、操作体１２０の先端部は、筐体２０の上部にある程度突出したものであり、使用者がこれを摘む等して引っ張る場合が考えられる。操作体１２０の先端部にこうした負荷がかかると、スイッチ素子１１０の可動部１１１が無理に引っ張られる等して、これがスイッチ装置１００の破損を招く原因となる場合があるが、本例では、引っ張りコイルばね１２３が弾性変形することにより、そのような破損を未然に防止することができる。つまり、操作体１２０の先端部を構成する先端部材１２２にこれを筐体２０から引き抜こうとする方向の外部負荷がかかると、引っ張りコイルばね１２３が弾性変形をし、更にその外部負荷が解除されると、引っ張りコイルばね１２３の弾性力にて先端部材１２２が所定の位置に復帰する。図８（ａ）は通常の状態、図８（ｂ）は先端部材１２２が矢印Ｇ方向に引っ張られた状態を示している。先端部材１２２にこのような外部負荷がかかると、先端部材１２２が操作体本体部材１２１から離れるとともに、引っ張りコイルばね１２３の長さΔｄが通常時の長さｄよりも長くなる。
【００２４】
以上説明したように、本例のスイッチ装置１００は、操作体１２０の先端部を操作するのに伴い筐体２０に設けられた装飾体１３０が駆動伝達機構１４０を介して駆動するという趣向性に優れたものであり、目覚し時計１の目覚し信号停止装置として好適に用いることができる。スイッチ素子１１０のＯＮ／ＯＦＦ状態は、装飾体１３０の位置から判別することができるという利点もある。また、本例における各部の構成は、特許請求の範囲に記載した技術的範囲において適宜に設計変更が可能であり、図例したものに限定されないことは勿論である。
【産業上の利用可能性】
【００２５】
本発明のスイッチ装置は、目覚し時計の目覚し信号停止装置として好適に用いることが可能である。
【図面の簡単な説明】
【００２６】
【図１】本発明の実施例に係り、目覚し時計を示す説明図である。
【図２】本発明の実施例に係り、スイッチ素子を示す説明図である。
【図３】本発明の実施例に係り、スイッチ装置を示す正面透視断面図である。
【図４】本発明の実施例に係り、図３のＡ部拡大図である。
【図５】本発明の実施例に係り、スイッチ装置の要部を示す側面透視断面図である。
【図６】本発明の実施例に係り、図５のＢ部拡大図である。
【図７】本発明の実施例に係り、係止片及び係止溝の位置関係を示す説明図である。
【図８】本発明の実施例に係り、操作体を示す説明図である。
【符号の説明】
【００２７】
１    目覚し時計
２０    筐体
２１    開口部
２２    軸受部
２３    係止溝
３０    時刻表示部
１００    スイッチ装置
１１０    スイッチ素子
１１１    可動部
１２０    操作体
１２１    操作体本体部材
１２１ａ    ラック部
１２２    先端部材
１２３    引っ張りコイルばね
１３０    装飾体
１３１    装飾体本体部材
１３１ａ    係止片
１３２    軸体
１３３    第２リンク部材
１３３ａ    ボス
１４０    駆動伝達機構
１４１    歯車
１４２    第１リンク部材
１４２ａ    歯部
１４２ｂ    保持部
１４２ｃ    突部
１４３    捩じりコイルばね
【図１】
2005147914.tif 000003
【図２】
2005147914.tif 000004
【図３】
2005147914.tif 000005
【図４】
2005147914.tif 000006
【図５】
2005147914.tif 000007
【図６】
2005147914.tif 000008
【図７】
2005147914.tif 000009
【図８】
2005147914.tif 000010